(57)【要約】【課題】ユーザによって異なる情報を提供する。【解決手段】本発明の第１の態様の表示制御装置は、カメラで撮影した撮影画像、及び、当該撮影画像に関連付けられた複数のメッセージを取得する案内情報取得部３２と、ユーザの属性情報を取得する属性情報取得部３１と、属性情報に基づいて、複数のメッセージから一以上のメッセージを選択する選択部３３と、撮影画像に重畳させて、選択部３３が選択したメッセージ を表示する表示制御部３４とを有する。【選択図】図３
2019028558.tif 000002
【特許請求の範囲】
【請求項１】
カメラで撮影した撮影画像、及び、当該撮影画像に関連付けられた複数のメッセージを取得する案内情報取得部と、
ユーザの属性情報を取得する属性情報取得部と、
前記属性情報に基づいて、前記複数のメッセージから一以上のメッセージを選択する選択部と、
前記撮影画像に重畳させて、前記選択部が選択した前記メッセージを表示する表示制御部とを有する、
表示制御装置。
【請求項２】
前記案内情報取得部は、前記撮影画像として全方位画像を取得し、
前記表示制御部は、前記全方位画像のうち前記属性情報に基づく向きに対応する画像を表示する、請求項１の表示制御装置。
【請求項３】
前記選択部は、閲覧時刻に基づいて、前記メッセージを選択する、
請求項１又は２に記載の表示制御装置。
【請求項４】
前記属性情報取得部は、前記属性情報として、ユーザの目的地の位置情報を取得し、
前記案内情報取得部は、前記目的地又は前記目的地までの経路上のポイントの少なくとも一方に関連づけられた前記メッセージを取得する、
請求項１から３のいずれか一項に記載の表示制御装置。
【請求項５】
ユーザが前記撮影画像内のオブジェクトを選択する操作を特定する操作特定部をさらに備え、
前記表示制御部は、前記ユーザが選択した前記オブジェクトに関連する前記メッセージを表示する、
請求項１から４のいずれか一項に記載の表示制御装置。
【請求項６】
前記属性情報取得部は、前記ユーザの属性情報として、前記ユーザによる前記オブジェクトの選択履歴を取得する、
請求項５に記載の表示制御装置。
【請求項７】
前記選択部は、目的地に対応する企業における求人内容に基づいて、前記メッセージを選択する、
請求項６に記載の表示制御装置。
【請求項８】
カメラで撮影した撮影画像、及び、当該撮影画像に関連付けられた複数のメッセージを取得するステップと、
ユーザの属性情報を取得するステップと、
前記属性情報に基づいて、前記複数のメッセージから一以上のメッセージを選択するステップと、
前記撮影画像に重畳させて、選択した前記メッセージを表示するステップとを有する、
表示制御方法。
【請求項９】
コンピュータに、
カメラで撮影した撮影画像、及び、当該撮影画像に関連付けられた複数のメッセージを取得するステップと、
ユーザの属性情報を取得するステップと、
前記属性情報に基づいて、前記複数のメッセージから一以上のメッセージを選択するステップと、
前記撮影画像に重畳させて、選択した前記メッセージを表示するステップとを有する、
プログラム。
【発明の詳細な説明】
【技術分野】
【０００１】
本発明は、カメラで撮影した撮影画像を表示する表示制御装置、表示制御方法及びプログラムに関する。
【背景技術】
【０００２】
撮影画像内の店舗の映像にリンクを貼り、この店舗の映像を選択すると店舗のホームページを表示する技術が知られている（例えば、特許文献１）。
【先行技術文献】
【特許文献】
【０００３】
【特許文献１】特開２００５−３１６９１４号公報
【発明の概要】
【発明が解決しようとする課題】
【０００４】
撮影映像において興味を持つ対象はユーザごとに異なる。例えば、ユーザの年齢層が異なれば、同じ通りを歩く場合であっても、ユーザが関心のある店舗は異なる。特許文献１に記載の装置では、どのユーザもリンクにより同じページに誘導するため、ユーザが関心のない情報を表示してしまうという問題があった。
【０００５】
そこで、本発明はこの点に鑑みてなされたものであり、ユーザによって異なる情報を提供することができる表示制御装置、表示制御方法及びプログラムを提供することを目的とする。
【課題を解決するための手段】
【０００６】
本発明の第１の態様の表示制御装置は、カメラで撮影した撮影画像、及び、当該撮影画像に関連付けられた複数のメッセージを取得する案内情報取得部と、ユーザの属性情報を取得する属性情報取得部と、前記属性情報に基づいて、前記複数のメッセージから一以上のメッセージを選択する選択部と、前記撮影画像に重畳させて、前記選択部が選択した前記メッセージ を表示する表示制御部とを有する。
【０００７】
前記案内情報取得部は、前記撮影画像として全方位画像を取得し、前記表示制御部は、前記全方位画像のうち前記属性情報に基づく向きに対応する画像を表示してもよい。
【０００８】
前記選択部は、閲覧時刻に基づいて、前記メッセージを選択してもよい。
【０００９】
前記属性情報取得部は、前記属性情報として、ユーザの目的地の位置情報を取得し、前記案内情報取得部は、前記目的地又は前記目的地までの経路上のポイントの少なくとも一方に関連づけられた前記メッセージを取得してもよい。
【００１０】
ユーザが前記撮影画像内のオブジェクトを選択する操作を特定する操作特定部をさらに備え、前記表示制御部は、前記ユーザが選択した前記オブジェクトに関連する前記メッセージを表示してもよい。
【００１１】
前記属性情報取得部は、前記ユーザの属性情報として、前記ユーザによる前記オブジェクトの選択履歴を取得してもよい。
【００１２】
前記選択部は、目的地に対応する企業における求人内容に基づいて、前記メッセージを選択してもよい。
【００１３】
本発明の第２の態様の表示制御方法は、カメラで撮影した撮影画像、及び、当該撮影画像に関連付けられた複数のメッセージを取得するステップと、ユーザの属性情報を取得するステップと、前記属性情報に基づいて、前記複数のメッセージから一以上のメッセージを選択するステップと、前記撮影画像に重畳させて、選択した前記メッセージを表示するステップとを有する。
【００１４】
本発明の第３の態様のプログラムは、コンピュータに、カメラで撮影した撮影画像、及び、当該撮影画像に関連付けられた複数のメッセージを取得するステップと、ユーザの属性情報を取得するステップと、前記属性情報に基づいて、前記複数のメッセージから一以上のメッセージを選択するステップと、前記撮影画像に重畳させて、選択した前記メッセージを表示するステップとを有する。
【発明の効果】
【００１５】
本発明によれば、ユーザによって異なる情報を提供することができるという効果を奏する。
【図面の簡単な説明】
【００１６】
【図１】第１の実施形態に係る表示制御システムの構成を示す図である。
【図２】表示制御装置が生成した画像の例を示す図である。
【図３】表示制御装置の構成を示す図である。
【図４】選択部及び表示制御部の動作を説明するための図である。
【図５】選択部及び表示制御部の動作を説明するための図である。
【図６】表示制御装置の動作の一例を示す図である。
【図７】第２の実施形態の表示制御装置の構成を示す図である。
【発明を実施するための形態】
【００１７】
＜第１の実施形態＞
［表示制御システムＳの概要］
図１は、本実施形態に係る表示制御システムＳの構成を示す図である。表示制御システムＳは、表示制御装置１００、通信回線２００及び通信端末３００を有する。表示制御装置１００は、通信端末３００に表示するための画像を生成するサーバである。表示制御装置１００は、図示しないカメラにより撮影された複数の撮影画像を記憶している。撮影画像は、例えば、魚眼レンズやミラー等の光学系を有する全方位カメラにより水平方向に周囲３６０度を撮影した全方位画像である。
【００１８】
表示制御装置１００は、撮影画像に一以上のメッセージを重畳させた画像を生成する。メッセージは、例えば、撮影画像に表示された建物、設置物又は道順等のオブジェクトを説明するための文字列である。表示制御装置１００は、ユーザの属性情報に基づいて、メッセージを撮影画像に重畳させる。ユーザの属性情報は、ユーザの年齢、性別、住所等の登録属性情報と、ユーザの出発地及び目的地等の一時的属性情報とを含む。目的地は、例えば、求職活動中のユーザが訪問する予定の企業の面接会場であり、出発地は、例えば、面接会場の最寄りの駅である。
【００１９】
ユーザは、例えば、通信端末３００に属性情報を入力する。通信端末３００は、ユーザの属性情報を表示制御装置１００に送信し、表示制御装置１００は、属性情報を登録する。このとき、ユーザは、属性情報とともにログインＩＤを表示制御装置１００に登録し、表示制御装置１００は、登録されたユーザのログインＩＤに関連付けてユーザの属性情報を記憶する。
【００２０】
通信端末３００は、例えば、スマートホン又はタブレット端末であり、表示制御装置１００から受信した画像を表示する。通信端末３００は、ユーザが入力したログインＩＤ、出発地及び目的地を表示制御装置１００へ送信する（１）。
【００２１】
表示制御装置１００は、ユーザが通信端末３００に入力した出発地及び目的地を通信端末３００から受信し、出発地から目的地までの移動経路に対応する撮影画像を取得し、取得した撮影画像に一以上のメッセージを重畳させる。このとき、表示制御装置１００は、通信端末３００から受信したログインＩＤに関連付けられたユーザの属性情報を特定し（２）、この属性情報に基づいて、メッセージを撮影画像に重畳させた画像を生成する。さらに、表示制御装置１００は、通信回線２００を介して、生成した画像を通信端末３００に送信する（３）。通信端末３００は、表示制御装置１００から受信した画像を表示する。
【００２２】
図２は、表示制御装置１００が生成した画像の例を示す図である。表示制御装置１００は、撮影画像に複数のメッセージを重畳させた画像を生成する。図２は、撮影画像が全方位画像である場合の例を示す。表示制御装置１００は、ユーザが視点の向きを左右に回転させる操作を行った場合に、同じ撮影場所においてカメラの撮影方向をそれぞれ左右に回転させて撮影した撮影画像に相当する画像を表示する。また、表示制御装置１００は、ユーザが視点を前進又は後退させるように視点の位置を移動させる操作を行った場合に、移動後の視点の位置から撮影した撮影画像に相当する画像を表示する。
【００２３】
図２には、一例として、求職者に面接会場までの道順を案内するための全方位画像を示す。例えば、「こちらの道が○○社の面接会場への近道です。」と記載されたメッセージは、求職者に対し、面接会場までの近道を案内するためのメッセージである。また、「コインパーキングはこちらがおすすめです。」と記載されたメッセージは、自動車で面接会場に来訪する予定の求職者に対し、コインパーキングの位置を案内するためのメッセージである。求職者は、面接会場までの道順に沿って視点位置を移動させることにより、面接会場までの道順や付近の店舗等の有用な情報を得ることができる。
【００２４】
［表示制御装置１００の構成］
図３は、表示制御装置１００の構成を示す図である。表示制御装置１００は、通信部１、記憶部２及び制御部３を有する。通信部１は、通信回線を利用して、通信端末３００との間で通信するための通信モジュールである。記憶部２は、ＲＯＭ（Read Only Memory）及びＲＡＭ（Random Access Memory）等を含む記憶媒体である。記憶部２は、制御部３が実行するプログラムを記憶している。また、記憶部２は、制御部３のワークメモリとして使用される。
【００２５】
記憶部２は、図示しないカメラで撮影した複数の撮影画像を記憶している。より詳しくは、記憶部２は、複数の撮影画像を撮影場所の位置情報に関連付けて記憶している。位置情報は、例えば、緯度及び経度を示す情報である。
【００２６】
また、記憶部２は、撮影画像に表示されているオブジェクトに関連付けて、一以上のメッセージを記憶している。例えば、撮影画像内に表示されている弁当販売店のオブジェクトに関連付けて、ランチの時間帯に会社員に人気の弁当販売店であることを示すメッセージを記憶している。
【００２７】
制御部３は、例えばＣＰＵ（Central Processing Unit）である。制御部３は、記憶部２に記憶されたプログラムを実行することにより、属性情報取得部３１、案内情報取得部３２、選択部３３及び表示制御部３４として機能する。
【００２８】
属性情報取得部３１は、ユーザの属性情報を取得する。属性情報取得部３１は、通信部１により、通信端末３００からユーザのログインＩＤを取得する。属性情報取得部３１は、取得したログインＩＤを有するユーザの属性情報を記憶部２から取得する。また、属性情報取得部３１は、一時的属性情報として、ユーザの出発地及び目的地の位置情報を通信部１により取得する。属性情報取得部３１は、ユーザが出発地を指定しない場合、例えば、ユーザの現在地を出発地として取得する。
【００２９】
案内情報取得部３２は、図示しないカメラで撮影した撮影画像、及び、当該撮影画像に表示されているオブジェクトに関連付けられた複数のメッセージを記憶部２から取得する。案内情報取得部３２は、属性情報取得部３１が取得した出発地から目的地までの移動経路を特定する。例えば、案内情報取得部３２は、出発地から目的地までの最短経路をユーザの移動経路として特定する。さらに、案内情報取得部３２は、目的地又は特定した移動経路上のポイントの少なくとも一方に関連付けられた撮影画像を記憶部２から取得する。移動経路上のポイントは、例えば、目的地周辺又は移動経路上の施設や店舗である。また、案内情報取得部３２は、取得した撮影画像において表示されているオブジェクトに関連付けられたメッセージを記憶部２から取得する。
【００３０】
以下、図４及び図５を参照して、選択部３３及び表示制御部３４の動作を説明する。選択部３３は、属性情報取得部３１が取得したユーザの属性情報に基づいて、複数のメッセージから一以上のメッセージを選択する。図４は、ユーザがシニア世代である場合に表示されるメッセージの一例を示し、図５は、ユーザが１０〜２０歳台である場合に表示されるメッセージの一例を示す。
【００３１】
メッセージには、そのメッセージに関心を持つ可能性が高いユーザのグループの情報が標的属性情報として割り当てられている。記憶部２では、図４の撮影画像に表示されているオブジェクトである和菓子屋に重畳されているメッセージ「シニア世代に人気の和菓子屋です。」には、年齢が７０歳以上のグループが標的属性情報として割り当てられている。一方、記憶部２では、図５の撮影画像に表示されているオブジェクトであるカレーライス専門店に重畳されているメッセージ「若者に人気のカレー専門店です。」には、年齢が１０〜２０歳台のグループが標的属性情報として割り当てられている。メッセージへの標的属性情報の割り当ては、例えば、管理者が行ってもよく、既知の自然言語処理技術により自動的に行ってもよい。
【００３２】
選択部３３は、ユーザの属性情報と、メッセージの標的属性情報とを比較する。選択部３３は、ユーザの属性情報と一致する標的属性情報が割り当てられたメッセージが表示されるように、メッセージを選択する。年齢が６５歳以上のユーザの場合、ユーザの属性情報は、図４に示すメッセージ「シニア世代に人気の和菓子屋です。」に割り当てられた標的属性情報に一致するが、メッセージ「若者に人気のカレー専門店です。」に割り当てられた標的属性情報には一致しない。このため、選択部３３は、メッセージ「シニア世代に人気の和菓子屋です。」を選択し、メッセージ「若者に人気のカレー専門店です。」を選択しない。
【００３３】
年齢が１０〜２０歳台のユーザの場合、ユーザの属性情報は、図５に示すメッセージ「若者に人気のカレー専門店です。」に割り当てられた標的属性情報に一致するが、メッセージ「シニア世代に人気の和菓子屋です。」に割り当てられた標的属性情報には一致しない。このため、選択部３３は、メッセージ「若者に人気のカレー専門店です。」を選択し、メッセージ「シニア世代に人気の和菓子屋です。」を選択しない。
【００３４】
表示制御部３４は、撮影画像に重畳させて、選択部３３が選択したメッセージを表示する。本実施の形態における例では、表示制御部３４は、撮影画像にメッセージを重畳させた画像を通信端末３００に表示させる。特に、表示制御部３４は、撮影画像が全方位画像である場合に、全方位画像のうち属性情報に基づく向きに対応する画像を表示する。例えば、表示制御部３４は、選択部３３により選択されたメッセージを優先して表示する向きにおいて画像を表示する。
【００３５】
例えば、図４に示すように、選択部３３がメッセージ「シニア世代に人気の和菓子です。」を選択した場合に、表示制御部３４は、メッセージ「シニア世代に人気の和菓子です。」及びこのメッセージが重畳された和菓子屋を優先して表示する向きにおいて画像を表示する。また、図５に示すように、選択部３３がメッセージ「若者に人気のカレー専門店です。」を選択した場合に、表示制御部３４は、メッセージ「若者に人気のカレー専門店です。」及びこのメッセージが重畳されたカレーライス専門店を優先して表示する向きにおいて画像を表示する。
【００３６】
このような構成を採用することにより、表示制御部３４は、ユーザが関心を持つ可能性の高いメッセージを優先して表示することができるので、ユーザの利便性を向上させることができる。なお、表示制御部３４は、選択部３３が選択していないメッセージを表示せず、選択部３３が選択したメッセージを撮影画像に重畳させて表示する構成であってもよい。
【００３７】
また、案内情報取得部３２は、目的地又は特定した移動経路上のポイントの少なくとも一方に関連付けられた撮影画像を記憶部２から取得する。このため、表示制御部３４は、例えば、求職者が企業の面接会場を目的地として指定した場合に、目的地や目的地へ向かう移動経路上のポイントにある店舗等の有用な情報を説明するメッセージを表示する。具体的には、表示制御部３４は、時間調整のために利用可能な喫茶店情報や、身だしなみを整えるための化粧室情報を紹介するメッセージを表示する。
【００３８】
図６は、表示制御装置１００の動作の一例を示す図である。この処理手順は、例えば、通信端末３００が、ユーザが入力したログインＩＤ、出発地及び目的地を表示制御装置１００へ送信したときに開始される。まず、属性情報取得部３１は、通信部１が受信したユーザのログインＩＤを取得する（Ｓ１０１）。次に、属性情報取得部３１は、通信部１が受信したユーザの目的地を取得する（Ｓ１０２）。また、属性情報取得部３１は、ユーザが出発地を指定したか否かを判定する（Ｓ１０３）。属性情報取得部３１は、ユーザが出発地を指定していない場合（Ｓ１０３のＮＯ）、ユーザの出発地としてユーザの現在地の位置情報を通信部１により取得する（Ｓ１０４）。
【００３９】
また、案内情報取得部３２は、属性情報取得部３１が取得したユーザの出発地及び目的地に基づいて、ユーザの移動経路を決定する。さらに、案内情報取得部３２は、決定した移動経路周辺の全方位画像を記憶部２から取得する（Ｓ１０５）。
【００４０】
また、案内情報取得部３２は、取得した全方位画像に表示されているオブジェクトに関連付けられた複数のメッセージを記憶部２から取得する（Ｓ１０６）。属性情報取得部３１は、ユーザのログインＩＤに関連付けられた属性情報を記憶部２から取得する（Ｓ１０７）。選択部３３は、属性情報取得部３１が取得したユーザの属性情報と、メッセージに割り当てられた標的属性情報とを比較し、ユーザの属性情報に一致するメッセージを選択する（Ｓ１０８）。
【００４１】
表示制御部３４は、選択部３３が選択されたメッセージを優先して表示するための全方位画像の向きを選択する（Ｓ１０９）。表示制御部３４は、選択した向きに画像を表示させる。このとき、表示制御部３４は、表示されたオブジェクトにメッセージを重畳させた画像を生成する。表示制御部３４は、生成した画像を通信端末３００へ送信し、通信端末３００は、受信した画像を表示し（Ｓ１１０）、処理を終了する。また、案内情報取得部３２は、ステップＳ１０３の判定においてユーザが出発地を指定している場合には（Ｓ１０３のＹＥＳ）、ステップＳ１０５の処理に移る。
【００４２】
本実施の形態では、選択部３３は、ユーザの属性情報に基づいて、複数のメッセージから一以上のメッセージを選択する。このため、選択部３３は、ユーザの属性情報に基づいてユーザが関心のある可能性が高いと推定したメッセージを選択し、表示制御部３４が、このメッセージを表示することができる。
【００４３】
また、本実施の形態では、表示制御部３４は、全方位画像のうちユーザの属性情報に基づく向きに対応する画像を表示する。このため、ユーザが全方位画像の視点の向きを変えることなく、ユーザの関心を持つ可能性が高い画像を視認できるように画像を表示することができる。
【００４４】
＜第２の実施形態＞
第１の実施形態では、表示制御部３４は、オブジェクトに関連付けられたメッセージをオブジェクトに重畳させて表示する場合の例について説明した。これに対し、第２の実施形態では、ユーザがオブジェクトを選択した場合に、選択したオブジェクトに関連付けられたメッセージをオブジェクトに重畳させて表示する場合の例について説明する。
【００４５】
図７は、第２の実施形態の表示制御装置４００の構成を示す図である。表示制御装置４００は、図３の表示制御装置１００と比較すれば、操作特定部４０１をさらに備える点が異なる。同一の構成には、同一の符号を付して説明を省略する。
【００４６】
操作特定部４０１は、通信端末３００において表示されたオブジェクトをユーザが選択したことを特定する。例えば、操作特定部４０１は、オブジェクトに対するユーザのタッチ操作が行われた場合に、ユーザがオブジェクトを選択したと特定する。
【００４７】
表示制御部３４は、ユーザが選択したオブジェクトに関連付けられたメッセージをオブジェクトに重畳させて表示する。表示制御部３４は、オブジェクトに複数のメッセージが関連付けられている場合には、選択部３３が選択したメッセージを表示し、選択部３３が選択していないメッセージを表示しない。
【００４８】
本実施の形態では、表示制御部３４は、ユーザが選択したオブジェクトに関連付けられたメッセージのうち、選択部３３においてユーザが関心を持つ可能性が高いと推定したメッセージを表示することができる。このため、ユーザは、有益なメッセージを容易に得ることができる。
【００４９】
なお、本実施の形態では、属性情報取得部３１が、属性情報として、ユーザの年齢、性別、住所、ユーザの出発地又は目的地を取得する場合の例について説明した。しかしながら、本発明はこれに限定されない。例えば、属性情報取得部３１が、属性情報として、ユーザがオブジェクトを選択した履歴を取得する構成であってもよい。このような構成を採用することにより、選択部３３は、ユーザが関心のあるメッセージをより精度よく選択することができる。
【００５０】
また、選択部３３は、閲覧時刻に基づいて、撮影画像におけるオブジェクトに関連付けられたメッセージを選択してもよい。例えば、選択部３３が、１２〜１３時頃の昼食の時間帯には、飲食店を紹介するメッセージを選択する構成であってもよい。
【００５１】
また、選択部３３は、目的地に対応する企業における求人内容に基づいて、メッセージを選択してもよい。例えば、属性情報取得部３１は、ユーザの特徴を示すキーワードを求人内容から抽出することにより、ユーザの属性情報を取得する。例えば、自動車の運転を要する仕事の求人に応募する求職者は、自動車の運転免許を所持している。そこで、属性情報取得部３１は、求人条件が普通運転免許所持である場合に、ユーザの登録属性情報として、普通運転免許を所持していることを取得する。この場合、選択部３３は、コインパーキングを紹介するメッセージを選択してもよい。
【００５２】
また、属性情報取得部３１は、目的地に対応する企業における求人内容に基づいて、登録属性情報として、ユーザの希望勤務時間帯を取得し、選択部３３は、ユーザの希望勤務時間帯に基づいて、メッセージを選択してもよい。例えば、属性情報取得部３１は、求人条件が早朝勤務を含む場合に、ユーザの登録属性情報として、希望勤務時間帯が早朝勤務を含むことを取得する。この場合、選択部３３は、早朝から営業している店を紹介するメッセージを選択してもよい。
【００５３】
また、属性情報取得部３１は、求人条件における休憩時間の開始時刻が比較的遅い場合、ユーザの登録属性情報として、休憩時間の開始時刻が遅めであることを取得する。この場合、選択部３３は、昼食の時間帯の比較的遅くまで空席があるランチの飲食店を紹介するメッセージを選択してもよい。また、属性情報取得部３１は、求人条件が深夜勤務を含む場合に、ユーザの登録属性情報として、希望勤務時間帯が深夜勤務を含むことを取得する。この場合、選択部３３は、終電の時刻を通知するメッセージを選択してもよい。
【００５４】
また、属性情報取得部３１は、目的地に対応する企業における求人内容に基づいて、登録属性情報として、ユーザの希望する求人条件を取得してもよい。例えば、属性情報取得部３１は、求人条件がデスクワークを含む場合に、ユーザの登録属性情報として、ユーザの希望職種がデスクワークであることを取得する。この場合、選択部３３は、近くの運動施設を紹介するメッセージを選択してもよい。また、属性情報取得部３１は、求人条件が立ち仕事を含む場合に、ユーザの登録属性情報として、ユーザの希望職種が立ち仕事であることを取得する。この場合、選択部３３は、近隣のマッサージ店を紹介するメッセージを選択してもよい。
【００５５】
このような構成を採用することにより、表示制御部３４は、企業の求人に応募する求職者に対し、求職者が関心を持つ可能性が高いと選択部３３において推定したメッセージを表示することができるので、利便性が大きい。
【００５６】
また、第１の実施形態及び第２の実施形態では、表示制御装置１００の選択部３３が、ユーザの属性情報に基づいて、撮影画像に表示されたオブジェクトに重畳するためのメッセージを選択する場合の例について説明した。しかしながら、本発明は、これに限定されない。例えば、通信端末３００が選択部を備え、通信端末３００の選択部が、ユーザの属性情報に基づいて、撮影画像に表示されたオブジェクトに重畳するためのメッセージを選択する構成であってもよい。
【００５７】
また、第１の実施形態及び第２の実施形態では、案内情報取得部３２が、撮影画像及びメッセージを記憶部２から取得する場合の例について説明した。しかしながら、本発明はこれに限定されない。例えば、案内情報取得部３２が、ネットワークを介して所定のサーバから撮影画像及びメッセージを取得する構成であってもよい。
【００５８】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５９】
１  通信部
２  記憶部
３  制御部
３１  属性情報取得部
３２  案内情報取得部
３３  選択部
３４  表示制御部
１００  表示制御装置
２００  通信回線
３００  通信端末
４００  表示制御装置
４０１  操作特定部
Ｓ  表示制御システム
【図１】
2019028558.tif 000003
【図２】
2019028558.tif 000004
【図３】
2019028558.tif 000005
【図４】
2019028558.tif 000006
【図５】
2019028558.tif 000007
【図６】
2019028558.tif 000008
【図７】
2019028558.tif 000009